(57)【要約】【課題】ティースの歯先が着磁されないように、アースを取ることができるレゾルバステータ構造を提供する。【解決手段】前記輪状ステータコア２の両面のうちの一方の面２２には、アース用端子２３が溶接等よりなる接続部２４で接続されており、前記輪状ステータコア２と前記アース用端子２３とが接続されている。前記輪状ステータコア２と前記アース用端子２３との接続後に、図示しない射出成型機の金型内に前記輪状ステータコア２が配設されてインサート成形がなされ、樹脂モールド３が前記輪状ステータコア２及び前記ティース２１に対して一体に成形されている。前記樹脂モールド３の一端に、前記輪状ステータコア２の前記外周縁２５から径方向外側に突出するようにして端子ピン保持部３０が一体成形されている。前記端子ピン保持部３０には、端子ピン３１〜３６及び前記アース用端子２３の一部であるアース用端子ピン３７が共に配列されている。【選択図】図１
2016220283.tif 000002
【特許請求の範囲】
【請求項１】
複数のティース（２１）を有する輪状ステータコア（２）と、
前記輪状ステータコア（２）の一方の面（２２）に接続されたアース用端子（２３）と、
前記輪状ステータコア（２）及び前記ティース（２１）に対して一体成形された樹脂モールド（３）と、
前記樹脂モールド（３）の一端に一体成形され前記輪状ステータコア（２）の半径方向（ｒ）に沿って外方に突出するとともに、複数の端子ピン（３１〜３６）を有する端子ピン保持部（３０）と、からなり、
前記アース用端子（２３）の一部であるアース用端子ピン（３７）は前記端子ピン保持部（３０）の前記各端子ピン（３１〜３６）と共に配列されている構成よりなる
ことを特徴とするレゾルバステータ構造。
【発明の詳細な説明】
【技術分野】
【０００１】
この発明はレゾルバステータ構造に関し、特に、アース用端子を備え、輪状ステータコアに対して輪状絶縁カバーとしての樹脂モールドが一体に形成されたレゾルバステータ構造に関する。
【背景技術】
【０００２】
従来用いられてきたレゾルバステータ構造としては、例えば以下の特許文献１などに記載された構成を図３として挙げることができる。すなわち、従来のレゾルバステータ構造では、輪状ステータコア２には、径方向内側に延出された複数のティース２１が設けられている。前記ティース２１には、輪状絶縁カバー１００２を介してそれぞれステータコイル１００４が巻かれている。また、前記ティース２１の先端においては、前記輪状絶縁カバー１００２に覆われていない歯先２１ｄが露出しており、前記歯先２１ｄにアース用端子２３を接続することで、前記輪状ステータコア２がアースに接地されている。
【先行技術文献】
【特許文献】
【０００３】
【特許文献１】特開平２０１４−１４７１５６号公報
【発明の概要】
【発明が解決しようとする課題】
【０００４】
上記のような従来のレゾルバステータ構造では、歯先２１ｄにアース用端子２３を接続しているので、出荷前の耐電圧試験でステータコイル１００４に高電圧が印加されたときに前記歯先２１ｄが着磁される恐れがあった。
【０００５】
この発明はこのような問題を解決するためになされたものであり、歯先が着磁されないようにアースを取ることができるアース用端子を備えたレゾルバステータ構造を提供することを目的とする。
【課題を解決するための手段】
【０００６】
この発明は、複数のティースを有する輪状ステータコアと、前記輪状ステータコアの一方の面に接続されたアース用端子と、前記輪状ステータコア及び前記ティースに対して輪状絶縁カバーとしての一体成形された樹脂モールドと、前記樹脂モールドの一端に一体成形され前記輪状ステータコアの半径方向に沿って外方に突出するとともに、複数の端子ピンを有する端子ピン保持部と、からなり、前記アース用端子の一部であるアース用端子ピンは前記端子ピン保持部の前記各端子ピンと共に配列されている構成よりなる。
【発明の効果】
【０００７】
この発明のアース用端子を備えたレゾルバステータ構造によれば、アース用端子が輪状ステータコアの一面に接続されており、アース用端子の一部であるアース用端子ピンが端子ピン保持部に配置されているので、歯先が着磁されないようにアースを取ることができる。
【図面の簡単な説明】
【０００８】
【図１】この発明の実施の形態に係るレゾルバステータ構造のステータの平面図である。
【図２】この発明の実施の形態に係るレゾルバステータ構造に設けられた輪状ステータコアとアース用端子との接続部周辺の断面図である。
【図３】従来のレゾルバステータ構造の輪状ステータコアに設けられたティースを示す平面図である。
【発明を実施するための形態】
【０００９】
以下、この発明の実施の形態を添付図面に基づいて説明する。なお、従来例と同一または同等部分は同一符号を付して説明する。
図１は、この発明の実施の形態に係るアース用端子を備えたレゾルバステータ構造のステータの平面図である。図１においてステータ１は、主として、輪状ステータコア２と、輪状絶縁カバーとしての樹脂モールド３から構成されている。
【００１０】
樹脂モールド前の前記輪状ステータコア２は、電磁鋼板等の磁性体で構成されている。また、前記輪状ステータコア２には、周方向に互いに間隔を置いて前記輪状ステータコア２の内周縁２０から径方向内側に延出された複数のティース２１が設けられている。各ティース２１には、後述の輪状絶縁カバーを形成するための樹脂モールド３が形成された後に図示しないステータコイルが巻かれる。前記各ティース２１は、柱部２１ａ及び頭部２１ｂを含んでいる。前記柱部２１ａは、前記内周縁２０から延出された柱状の部分であり、先端２１ｃを有している。前記頭部２１ｂは、前記柱部２１ａと共にＴ字を形成するように前記柱部２１ａの前記先端２１ｃに一体に設けられた部分である。前記頭部２１ｂは、前記ティース２１の最も先端である歯先２１ｄを有している。
【００１１】
前記輪状ステータコア２の両面のうちの一方の面２２には、アース用端子２３が溶接等よりなる接続部２４で接続されており、前記輪状ステータコア２と前記アース用端子２３とが接続されている。
【００１２】
前記輪状ステータコア２と前記アース用端子２３との接続後に、図示しない射出成型機の金型内に前記輪状ステータコア２が配設されてインサート成形がなされ、樹脂モールド３が前記輪状ステータコア２及び前記ティース２１に対して一体に成形されている。また、樹脂モールド３は、前記ティース２１の歯先２１ｄ及び前記輪状ステータコア２の外周縁２５には施されていないので、前記歯先２１ｄ及び前記外周縁２５では前記輪状ステータコア２の金属が露出している。前記樹脂モールド３の一端に、前記輪状ステータコア２の前記外周縁２５から径方向外側に突出するようにして端子ピン保持部３０が一体成形されている。前記端子ピン保持部３０には、端子ピン３１〜３６の複数の端子ピン及び前記アース用端子２３の一部であるアース用端子ピン３７が共に配列されている。なお、前記各端子ピン３１〜３６も前記金型内に予めセットされて同時にインサート成形されている。
【００１３】
前記アース用端子ピン３７は、レゾルバステータ構造の外部の図示しない装置のアース部分に接続されている。これにより、前記輪状ステータコア２が、前記アース用端子２３を介してアースされている。また、前記端子ピン３１〜３６は、レゾルバステータ構造外部に検出信号を取出すため及びレゾルバステータ構造に励磁電流を供給するために図３のステータコイル１００４の端線が接続されている。
【００１４】
図２は、前記輪状ステータコア２に前記樹脂モールド３を施した後の前記接続部２４の周辺を表す断面図である。
前述の溶接等による前記接続部２４は、前記樹脂モールド３でモールドされている。前記アース用端子２３は、前記樹脂モールド３の内部で曲折して、前記一方の面２２の逆面に位置する保持面３８より突出することで前記アース用端子ピン３７として前記端子ピン保持部３０に保持されている。
【００１５】
このようなレゾルバステータ構造では、レゾルバステータ構造は複数のティース２１を有する輪状ステータコア２と、前記輪状ステータコア２の一方の面２２に接続されたアース用端子２３と、前記輪状ステータコア２及び前記ティース２１に対して成形された樹脂モールド３と、前記樹脂モールド３の一端に前記樹脂モールド３と共に一体成形された端子ピン保持部３０とからなり、前記アース用端子２３の一部であるアース用端子ピン３７は前記端子ピン保持部３０の前記各端子ピン３１〜３６と共に配列されているので、歯先２１ｄが着磁されないようにアースを取ることができる。
【産業上の利用可能性】
【００１６】
本発明によるアース用端子を備えたレゾルバステータ構造は、輪状ステータコアの面に溶接等で接続したアース用端子を端子ピン保持部のアース用端子ピンに接続しているため、従来のティースの着磁を避けてアース用端子の取付ができ、レゾルバの検出精度の向上ができる。
【符号の説明】
【００１７】
２          輪状ステータコア
３          樹脂モールド
２１        ティース
２２        一方の面
２３        アース用端子
２４        接続部
３０        端子ピン保持部
３１〜３６  端子ピン
３７        アース用端子ピン
【図１】
2016220283.tif 000003
【図２】
2016220283.tif 000004
【図３】
2016220283.tif 000005